(57)【要約】本発明は、損傷ベクトル同士の連結関係を容易に把握できる損傷情報処理装置及び損傷情報処理方法を提供することを目的とする。本発明の一の態様に係る損傷情報処理装置は、構造物の損傷についての損傷情報を取得する損傷情報取得部と、取得した損傷情報をベクトル化して損傷ベクトルを生成する損傷ベクトル生成部と、生成した損傷ベクトルに基づいて損傷ベクトル同士の連結関係を階層的に表現した情報である階層構造情報を生成する階層構造情報生成部と、を備える。損傷ベクトル同士の連結関係を階層的に表現した情報である階層構造情報を生成するので、損傷ベクトル同士の連結関係を容易に把握でき、また階層構造情報により損傷ベクトルの分析及び／または検索を容易に行うことができる。
2017110279.tif 000002
【特許請求の範囲】
【請求項１】
構造物の損傷についての損傷情報を取得する損傷情報取得部と、
前記取得した損傷情報をベクトル化して損傷ベクトルを生成する損傷ベクトル生成部と、
前記生成した損傷ベクトルに基づいて前記損傷ベクトル同士の連結関係を階層的に表現した情報である階層構造情報を生成する階層構造情報生成部と、
を備える損傷情報処理装置。
【請求項２】
前記階層構造情報生成部は、一の損傷ベクトルが属するベクトルグループの情報と、前記一の損傷ベクトルと連結する他の損傷ベクトルの情報と、前記一の損傷ベクトルの固有情報と、を含む前記階層構造情報を生成する請求項１に記載の損傷情報処理装置。
【請求項３】
前記階層構造情報生成部は、前記一の損傷ベクトルに他の複数の損傷ベクトルが連結している場合、前記他の複数の損傷ベクトルは前記一の損傷ベクトルよりも下位の階層に属するものとして前記階層構造情報を生成する請求項２に記載の損傷情報処理装置。
【請求項４】
前記階層構造情報生成部は、前記一の損傷ベクトルと前記一の損傷ベクトルに連結している他の損傷ベクトルとのなす角度が閾値以下であるときは、前記他の損傷ベクトルは前記一の損傷ベクトルと同じ階層に属するものとして前記階層構造情報を生成する請求項２に記載の損傷情報処理装置。
【請求項５】
前記階層構造情報生成部は、前記一の損傷ベクトルに連結する前記他の損傷ベクトルが前記一の損傷ベクトルよりも時間的に後に生じた損傷ベクトルである場合は、前記他の損傷ベクトルは前記一の損傷ベクトルよりも下位の階層に属するものとして前記階層構造情報を生成する請求項２に記載の損傷情報処理装置。
【請求項６】
前記階層構造情報生成部は、前記一の損傷ベクトルに連結している他の損傷ベクトルが１つのみである場合、前記他の１つの損傷ベクトルは前記一の損傷ベクトルと同じ階層に属するものとして前記階層構造情報を生成する請求項２に記載の損傷情報処理装置。
【請求項７】
前記固有情報は、前記一の損傷ベクトルの識別情報と、前記一の損傷ベクトルが階層構造のどの階層に属するかを示す所属階層情報と、始点及び終点の位置と、を含む請求項２から６のいずれか１項に記載の損傷情報処理装置。
【請求項８】
前記階層構造情報生成部は損傷ベクトルの属する階層によらず同一の項目及び形式により前記階層構造情報を生成する請求項１から７のいずれか１項に記載の損傷情報処理装置。
【請求項９】
前記損傷ベクトル生成部は、空間的に分離した複数の損傷ベクトルを連結させて１または複数のベクトルを生成する請求項１から８のいずれか１項に記載の損傷情報処理装置。
【請求項１０】
前記階層構造情報を参照して、指定された条件を満たす損傷ベクトルを抽出する損傷ベクトル抽出部を備える請求項１から９のいずれか１項に記載の損傷情報処理装置。
【請求項１１】
前記損傷ベクトル抽出部は、指定された損傷ベクトルと連結し前記指定されたベクトルよりも上位の階層に属する損傷ベクトルと、前記指定された損傷ベクトルと連結し前記指定されたベクトルと同じ階層に属する損傷ベクトルと、前記指定された損傷ベクトルと連結し前記指定されたベクトルよりも下位の階層に属する損傷ベクトルと、のうち少なくとも１つを抽出する請求項１０に記載の損傷情報処理装置。
【請求項１２】
前記抽出した損傷ベクトル及び前記生成した階層構造情報を表示する表示部を備える請求項１０または１１に記載の損傷情報処理装置。
【請求項１３】
前記階層構造情報を記録する階層構造情報記録部を備える請求項１から１２のいずれか１項に記載の損傷情報処理装置。
【請求項１４】
前記損傷情報取得部は前記構造物を撮像した画像を画像処理して前記損傷情報を取得する請求項１から１３のいずれか１項に記載の損傷情報処理装置。
【請求項１５】
前記構造物はコンクリート構造物であり、前記損傷はひび割れと遊離石灰とのうち少なくとも一方を含む請求項１から１４のいずれか１項に記載の損傷情報処理装置。
【請求項１６】
構造物の損傷についての損傷情報を取得する損傷情報取得工程と、
前記取得した損傷情報をベクトル化して損傷ベクトルを生成する損傷ベクトル生成工程と、
前記生成した損傷ベクトルに基づいて前記損傷ベクトル同士の連結関係を階層的に表現した情報である階層構造情報を生成する階層構造情報生成工程と、
を含む損傷情報処理方法。
【発明の詳細な説明】
【技術分野】
【０００１】
本発明は構造物の損傷を処理する装置及び方法に係り、特に損傷をベクトル化した情報を処理する装置及び方法に関する。
【背景技術】
【０００２】
橋梁、トンネル、道路、及びビル等の構造物には各種の損傷が発生し、時間と共に進行してゆくため、構造物の安全を確保するには、損傷の状況に応じて補修を行う必要がある。従来、損傷の検査は作業員による目視あるいは器具を用いた検査により行われてきたが、作業時間及びコスト、作業場所の環境等の問題により、近年は撮像装置及び／または画像処理装置により電子的な処理が行われるようになってきている。【０００３】
例えば特許文献１には、コンクリート等のひび割れ測定において、ひび割れのベクトルデータを作成し、グループ番号並びに継続点、端点、及び分岐点等の情報を与えることが記載されている。また特許文献２には、コンクリートの欠陥検査においてひび割れのベクトルデータを作成し、ひび割れの交差の情報をファイルに書き込むことが記載されている。
【先行技術文献】
【特許文献】
【０００４】
【特許文献１】特開平６−１４８０８９号公報
【特許文献２】特開２００２−２５７７４４号公報
【発明の概要】
【発明が解決しようとする課題】
【０００５】
しかしながら上述の特許文献１，２に記載の技術では、損傷ベクトルの端点の分類（特許文献１を参照）、あるいはパターンの分類（特許文献２を参照）はされていても、どのベクトルにどの点でどのベクトルがどのように連結しているのか（損傷ベクトル同士の連結関係）の把握が困難であり、その結果損傷の検索、分析、及び評価が困難であった。【０００６】
本発明はこのような事情に鑑みてなされたもので、損傷ベクトル同士の連結関係を容易に把握できる損傷情報処理装置及び損傷情報処理方法を提供することを目的とする。
【課題を解決するための手段】
【０００７】
上述した目的を達成するため、本発明の第１の態様に係る損傷情報処理装置は、構造物の損傷についての損傷情報を取得する損傷情報取得部と、取得した損傷情報をベクトル化して損傷ベクトルを生成する損傷ベクトル生成部と、生成した損傷ベクトルに基づいて損傷ベクトル同士の連結関係を階層的に表現した情報である階層構造情報を生成する階層構造情報生成部と、を備える。【０００８】
第１の態様に係る損傷情報処理装置では、損傷情報をベクトル化して損傷ベクトルを生成し、これに基づいて損傷ベクトル同士の連結関係を階層的に表現した情報である階層構造情報を生成するので、損傷ベクトル同士の連結関係を容易に把握でき、また階層構造情報により損傷ベクトルの分析及び／または検索を容易に行うことができる。【０００９】
なお第１の態様において、損傷情報は構造物を撮影した画像を入力しこの画像を画像処理して取得するようにしてもよいし、画像から抽出された損傷情報を直接取得するようにしてもよい。また第１の態様において「階層的に」とは、損傷ベクトル同士に、連結関係によって決まる上位または下位の関係があることを意味する。損傷ベクトルの階層は種々の手法により決定することができ、用いる手法は分析及び／または評価の目的等に応じて決定してよい。【００１０】
また、ある損傷ベクトルの端点に複数の損傷ベクトルが連結している場合、そのような端点において損傷ベクトルが分岐していると考えることができるので、分岐を連結の一態様として把握するようにしてもよい。【００１１】
なお第１の態様において「構造物」としては例えば橋梁、トンネル、ビル、及び道路を挙げることができるが、これらに限定されるものではない。【００１２】
第２の態様に係る損傷情報処理装置は第１の態様において、階層構造情報生成部は、一の損傷ベクトルが属するベクトルグループの情報と、一の損傷ベクトルと連結する他の損傷ベクトルの情報と、一の損傷ベクトルの固有情報と、を含む階層構造情報を生成する。第２の態様は階層構造情報の構成の一例を示すもので、注目する一の損傷ベクトルの固有情報のみならず、ベクトルグループの情報、及び一の損傷ベクトルと連結する他の損傷ベクトルの情報を把握できる。このようにして、第２の態様では損傷ベクトル同士の関係をいっそう容易に把握することができる。なお第２の態様において、「ベクトルグループ」とは一または複数の損傷ベクトルから構成されるベクトルの集合体であり、例えば互いに連結している複数の損傷ベクトル、あるいは分離しているが近接している損傷ベクトルをベクトルグループとすることができる。【００１３】
第３の態様に係る損傷情報処理装置は第２の態様において、階層構造情報生成部は、一の損傷ベクトルに他の複数の損傷ベクトルが連結している場合、他の複数の損傷ベクトルは一の損傷ベクトルよりも下位の階層に属するものとして階層構造情報を生成する。第３の態様は損傷ベクトルの階層を決定する手法の一例を示すもので、この態様では一の損傷ベクトルに他の複数の損傷ベクトルが連結している（即ち、分岐している）場合、連結（分岐）を経るごとに階層が下位になる。【００１４】
第４の態様に係る損傷情報処理装置は第２の態様において、階層構造情報生成部は、一の損傷ベクトルと一の損傷ベクトルに連結している他の損傷ベクトルとのなす角度が閾値以下であるときは、他の損傷ベクトルは一の損傷ベクトルと同じ階層に属するものとして階層構造情報を生成する。第４の態様は損傷ベクトルの階層を決定する手法の他の例を示すもので、この態様では、損傷ベクトル同士のなす角度が小さく（閾値以下であり）実質的に同一直線上のベクトルと見なすことができる場合は、それら損傷ベクトルが同じ階層に属するものとしている。【００１５】
第５の態様に係る損傷情報処理装置は第２の態様において、階層構造情報生成部は、一の損傷ベクトルに連結する他の損傷ベクトルが一の損傷ベクトルよりも時間的に後に生じた損傷ベクトルである場合は、他の損傷ベクトルは一の損傷ベクトルよりも下位の階層に属するものとして階層構造情報を生成する。第５の態様は損傷ベクトルの階層を決定する手法のさらに他の例を示すものであり、構造物に生じた損傷は一般的に時間と共にその形状及び大きさが変化し、また新たな損傷ベクトルが発生することを考慮して、時間的に後に生じた損傷ベクトルを下位の階層に属するものとしている。なお第５の態様において、損傷ベクトル発生の前後関係は、例えば構造物の画像を撮影した日時または構造物を点検した日時に基づいて判断することができる。【００１６】
第６の態様に係る損傷情報処理装置は第２の態様において、階層構造情報生成部は、一の損傷ベクトルに連結している他の損傷ベクトルが１つのみである場合、他の１つの損傷ベクトルは一の損傷ベクトルと同じ階層に属するものとして階層構造情報を生成する。第６の態様は損傷ベクトルの階層を決定する手法のさらに他の例を示すものであり、一の損傷ベクトルに連結している他の損傷ベクトルが１つのみの場合、それら損傷ベクトルは損傷として連続しているものとして把握し、同じ階層に属するものとしている。【００１７】
第７の態様に係る損傷情報処理装置は第２から第６の態様のいずれか１つにおいて、固有情報は、一の損傷ベクトルの識別情報と、一の損傷ベクトルが階層構造のどの階層に属するかを示す所属階層情報と、始点及び終点の位置と、を含む。第７の態様は損傷ベクトルの固有情報の構成を示すものであり、固有情報は一の損傷ベクトルの識別情報、所属階層情報、始点及び終点の位置を含む。【００１８】
第８の態様に係る損傷情報処理装置は第１から第７の態様のいずれか１つにおいて、階層構造情報生成部は損傷ベクトルの属する階層によらず同一の項目及び形式により階層構造情報を生成する。第８の態様によれば、階層構造情報が損傷ベクトルの属する階層によらず同一の項目及び形式なので、損傷ベクトル同士の連結関係を迅速かつ容易に把握することができる。【００１９】
第９の態様に係る損傷情報処理装置は第１から第８の態様のいずれか１つにおいて、損傷ベクトル生成部は、空間的に分離した複数の損傷ベクトルを連結させて１または複数のベクトルを生成する。損傷が構造物の内部では連続しているが表面では分離しているため分離した損傷ベクトルとして認識される場合、実際には連続しているが画像処理等により分離したベクトルとして抽出されてしまう場合等があるため、第９の態様では、複数の損傷ベクトルを連結して１または複数のベクトルを生成する。なお損傷ベクトルの連結は、損傷ベクトル同士の距離及び角度等の条件に基づいて判断するようにしてもよいし、ユーザ入力に基づいて判断するようにしてもよい。【００２０】
第１０の態様に係る損傷情報処理装置は第１から第９の態様のいずれか１つにおいて、階層構造情報を参照して、指定された条件を満たす損傷ベクトルを抽出する損傷ベクトル抽出部を備える。第１０の態様によれば、損傷ベクトル同士の連結関係を階層的に表現した情報である階層構造情報を参照して損傷ベクトルを抽出することで、損傷の検索、分析、及び評価を容易に行うことができる。【００２１】
第１１の態様に係る損傷情報処理装置は第１０の態様において、損傷ベクトル抽出部は、指定された損傷ベクトルと連結し指定されたベクトルよりも上位の階層に属する損傷ベクトルと、指定された損傷ベクトルと連結し指定されたベクトルと同じ階層に属する損傷ベクトルと、指定された損傷ベクトルと連結し指定されたベクトルよりも下位の階層に属する損傷ベクトルと、のうち少なくとも１つを抽出する。第１１の態様によれば、指定された損傷ベクトルと連結し、階層が上位、同じ、または下位の損傷ベクトルを迅速かつ容易に抽出することができる。【００２２】
第１２の態様に係る損傷情報処理装置は第１０または第１１の態様において、抽出した損傷ベクトル及び生成した階層構造情報を表示する表示部を備える。第１２の態様によれば、抽出した損傷ベクトル及び生成した階層構造情報を表示することで、損傷ベクトル同士の連結関係及び損傷ベクトルの情報を容易に把握することができる。【００２３】
第１３の態様に係る損傷情報処理装置は第１から第１２の態様のいずれか１つにおいて、階層構造情報を記録する階層構造情報記録部を備える。階層構造情報記録部に記録された階層構造情報は、損傷ベクトルの分析及び／または評価などの目的に使用することができる。【００２４】
第１４の態様に係る損傷情報処理装置は第１から第１３の態様のいずれか１つにおいて、損傷情報取得部は構造物を撮像した画像を画像処理して損傷情報を取得する。第１４の態様は、損傷情報を取得する手法の一態様を規定するものである。【００２５】
第１５の態様に係る損傷情報処理装置は第１から第１４の態様のいずれか１つにおいて、構造物はコンクリート構造物であり、損傷はひび割れと遊離石灰とのうち少なくとも一方を含む。第１５の態様は構造物及び損傷の一例を規定するものである。【００２６】
上述した目的を達成するため、本発明の第１６の態様に係る損傷情報処理方法は、構造物の損傷についての損傷情報を取得する損傷情報取得工程と、取得した損傷情報をベクトル化して損傷ベクトルを生成する損傷ベクトル生成工程と、生成した損傷ベクトルに基づいて損傷ベクトル同士の連結関係を階層的に表現した情報である階層構造情報を生成する階層構造情報生成工程と、を含む。第１６の態様は本発明を損傷情報処理方法として規定したもので、第１の態様と同様に、損傷ベクトル同士の連結関係を容易に把握でき、また階層構造情報により損傷ベクトルの分析及び／または検索を容易に行うことができる。
【発明の効果】
【００２７】
以上説明したように、本発明の損傷情報処理装置及び損傷情報処理方法によれば、損傷ベクトル同士の連結関係を容易に把握することができる。
【図面の簡単な説明】
【００２８】
【図１】図１は、構造物の例である橋梁を示す図である。
【図２】図２は、本発明の一実施形態に係る損傷情報処理装置の構成を示すブロック図である。
【図３】図３は、本発明の一実施形態に係る損傷情報処理方法の手順を示すフローチャートである。
【図４】図４は、曲線状の損傷を分割して複数の損傷ベクトルを生成する様子を示す図である。
【図５】図５は、損傷ベクトルの始点を決める様子を説明するための図である。
【図６】図６は、損傷ベクトルの始点を決める様子を説明するための他の図である。
【図７】図７は、分離した損傷ベクトルの連結を示す図である。
【図８】図８は、分離した損傷ベクトルの連結を示す他の図である。
【図９】図９は、階層構造情報に含まれる画像情報を示す表である。
【図１０】図１０は、階層構造情報に含まれる損傷ベクトルの情報の例（階層決定手法の例１に対応）を示す図である。
【図１１】図１１は、損傷ベクトルの階層決定手法の例１を説明するための図である。
【図１２】図１２は、損傷ベクトルの階層決定手法の例２を説明するための他の図である。
【図１３】図１３は、階層決定手法の例２に対応した階層構造情報（損傷ベクトル情報）の例を示す表である。
【図１４】図１４は、損傷ベクトルの階層決定手法の例３を説明するための図である。
【図１５】図１５は、損傷ベクトルの階層決定手法の例３を説明するための他の図であり、図１４よりも時間的に後に撮影した画像を示す図である。
【図１６】図１６は、損傷ベクトルの階層決定手法の例３を説明するためのさらに他の図であり、図１５よりも時間的に後に撮影した画像を示す図である。
【図１７】図１７は、階層決定手法の例３に対応した階層構造情報（損傷ベクトル情報）の例を示す表である。
【図１８】図１８は、損傷ベクトルの階層決定手法の例４を説明するための図である。
【図１９】図１９は、階層決定手法の例４に対応した階層構造情報（損傷ベクトル情報）の例を示す表である。
【発明を実施するための形態】
【００２９】
以下、添付図面を参照しつつ、本発明に係る損傷情報処理装置及び損傷情報処理方法の実施形態について説明する。
【００３０】
＜第１の実施形態＞
図１は、本発明に係る損傷情報処理装置及び損傷情報処理方法が適用される構造物の例である橋梁１（構造物、コンクリート構造物）の構造を示す斜視図である。図１に示す橋梁１は主桁３を有し、主桁３は接合部３Ａで接合されている。主桁３は橋台及び／または橋脚の間に渡され、床版２上の車輌等の荷重を支える部材である。また主桁３の上部には、車輌等が走行するための床版２が打設されている。床版２は鉄筋コンクリート製のものとする。なお橋梁１は、床版２及び主桁３の他に図示せぬ横桁、対傾構、及び横構等の部材を有する。
【００３１】
＜画像の取得＞
橋梁１の損傷を検査する場合、検査員はデジタルカメラ１０４（図２参照）を用いて橋梁１を下方から撮影し（図１のＣ方向）、検査範囲について画像を取得する。撮影は、橋梁１の延伸方向（図１のＡ方向）及びその直交方向（図１のＢ方向）に適宜移動しながら行う。なお橋梁１の周辺状況により検査員の移動が困難な場合は、橋梁１に沿って移動可能な移動体にデジタルカメラ１０４を設置して撮影を行ってもよい。このような移動体には、デジタルカメラ１０４の昇降機構及び／またはパン・チルト機構を設けてもよい。なお移動体の例としては車輌、ロボット、及び飛翔体を挙げることができるが、これらに限定されるものではない。
【００３２】
＜損傷情報処理装置の構成＞
図２は、本実施形態に係る損傷情報処理装置１００の概略構成を示すブロック図である。損傷情報処理装置１００は、損傷情報取得部１０２、損傷ベクトル生成部１１０、階層構造情報生成部１１２、損傷ベクトル抽出部１１４、階層構造情報記録部１１６、表示部１１８、及び操作部１２０を備え、互いに接続されていて、必要な情報を互いに送受信できるようになっている。
【００３３】
各部の機能は、例えばＣＰＵ（Central Processing Unit）等の制御デバイスがメモリに記憶されたプログラムを実行することで実現できる。また、損傷情報取得部１０２は無線通信用アンテナ及び入出力インタフェース回路を含み、階層構造情報記録部１１６はＨＤＤ（Hard Disk Drive）等の非一時的記録媒体を含んで構成される。また表示部１１８は液晶ディスプレイ等の表示デバイスを含み、操作部１２０はキーボード等の入力デバイスを含む。なおこれらは本発明に係る損傷情報処理装置の構成の一例を示すものであり、他の構成を適宜採用し得る。
【００３４】
上述のようにデジタルカメラ１０４を用いて撮影された画像は、無線通信により画像取得部１０６に入力されて、画像処理部１０８により損傷情報が取得される。デジタルカメラ１０４、画像取得部１０６、及び画像処理部１０８は損傷情報取得部１０２を構成する。損傷ベクトル生成部１１０は、損傷情報取得部１０２が取得した損傷情報から損傷ベクトル（ひび割れベクトル）を生成し、また空間的に分離した損傷ベクトルを連結させる。階層構造情報生成部１１２は損傷ベクトル生成部１１０が生成した損傷ベクトルに基づいて階層構造情報を生成し、生成された階層構造情報は階層構造情報記録部１１６に記録される。損傷ベクトル抽出部１１４は、階層構造情報を参照して、損傷ベクトルの所属階層等の指定された条件を満たす損傷ベクトルを抽出する。表示部１１８は、入力した画像、生成あるいは抽出した損傷ベクトル、階層構造情報等を表示する。表示部１１８はまた、損傷ベクトルの情報から線分の画像を生成する等、表示の際に必要な画像処理を行う。操作部１２０は、損傷ベクトル及び階層構造情報の抽出条件並びに表示条件の設定、及び階層構造情報の編集等に関するユーザの指示入力を受け付ける。
【００３５】
＜損傷情報処理の手順＞
次に、上述した構成の損傷情報処理装置１００を用いた損傷情報処理について説明する。図３は本実施形態に係る損傷情報処理の手順を示すフローチャートである。なお、本実施形態では損傷が床版２に生じたひび割れである場合について説明し、損傷を適宜「ひび割れ」と記載するが、本発明が適用可能な損傷はひび割れに限らず、遊離石灰等他の損傷でもよい。
【００３６】
＜損傷情報取得工程＞
まず、上述のようにデジタルカメラ１０４で撮影した橋梁１の画像を、無線通信により画像取得部１０６に入力する（ステップＳ１００；画像入力工程）。橋梁１の画像は検査範囲に応じて複数入力され、また入力する画像には、デジタルカメラ１０４により撮影日時の情報が付加されている。なお入力画像の撮影日時は必ずしも全ての画像において同一である必要はなく、複数日に亘っていてもよい。画像は複数の画像を一括して入力してもよいし、一度に１つの画像を入力するようにしてもよい。なお、橋梁１の画像は無線通信でなく各種メモリカード等の非一時的記録媒体を介して入力するようにしてもよいし、既に撮影され記録されている画像のデータをネットワーク経由で入力してもよい。なおステップＳ１００で入力する橋梁１の画像は、撮影画像そのままでもよいし、撮影画像に前処理を施したものでもよい。
【００３７】
＜損傷抽出工程＞
次に、画像処理部１０８は、入力した画像から損傷（ひび割れ）を抽出する（ステップＳ１１０；損傷抽出工程）。ステップＳ１００の画像入力工程及びステップＳ１１０の損傷抽出工程は、本発明の損傷情報処理方法における損傷情報取得工程を構成する。なおステップＳ１１０では、ステップＳ１００で入力した画像から損傷が抽出されていれば、即ち画像における損傷の領域が識別されていれば損傷情報が取得できたものと考えてよく、損傷の詳細な特徴が把握されることまでは要しない。
【００３８】
ステップＳ１１０における損傷の抽出は種々の手法により行うことができるが、例えば特許４００６００７号公報に記載されたひび割れ検出方法を用いることができる。この方法は、対比される２つの濃度に対応したウェーブレット係数を算定すると共に、該２つの濃度をそれぞれ変化させた場合のそれぞれのウェーブレット係数を算定してウェーブレット係数テーブルを作成し、ひび割れ検出対象であるコンクリート表面を撮影した入力画像をウェーブレット変換することによってウェーブレット画像を作成する工程と、前記ウェーブレット係数テーブル内において、局所領域内の近傍画素の平均濃度と注目画素の濃度に対応するウェーブレット係数を閾値として、注目画素のウェーブレット係数と該閾値とを比較することによりひび割れ領域とひび割れでない領域を判定する工程とからなるひび割れ検出方法である。
【００３９】
なおステップＳ１１０における損傷の抽出は、ステップＳ１００で入力した画像に必要な前処理を施してから行うようにしてもよい。
【００４０】
＜損傷ベクトルの生成＞
ステップＳ１１０で損傷が抽出されると（損傷情報が取得されると）、損傷ベクトル生成部１１０が、取得した損傷情報をベクトル化して損傷ベクトル（ひび割れベクトル）を生成する（ステップＳ１２０；損傷ベクトル生成工程）。ベクトル化に際しては、抽出した損傷（ひび割れ）を必要に応じ２値化及び／または細線化する。なお「ベクトル化」とは、損傷に対し始点及び終点で定まる線分を求めることであり、損傷（ひび割れ）が曲線状の場合、曲線と線分の距離が閾値以下になるように損傷を複数の区間に分割し、複数の区間のそれぞれについて損傷ベクトルを生成する。図４の例では、曲線状の損傷Ｃｒを４つの区間Ｃｒ１〜Ｃｒ４に分割し、それぞれの区間について損傷ベクトルＣｖ１〜Ｃｖ４を生成することで、区間Ｃｒ１〜Ｃｒ４における損傷と損傷ベクトルＣｖ１〜Ｃｖ４との距離ｄ１〜ｄ４が閾値以下になるようにしている。
【００４１】
損傷ベクトルの生成に際しては、例えば床版２の特徴点を座標系の原点とし、損傷ベクトルのグループ（ベクトルグループ）について、原点からの距離が最小になる端点を第１の始点とし、以下損傷ベクトルの走行方向に沿って順次終点、始点を決定することができる。図５の例では、床版２上の点Ｐ０を座標系の原点、図の右方向及び下方向をそれぞれ座標系のＸ軸方向、Ｙ軸方向としたときに、ベクトルグループＣ７の点Ｐ１３，Ｐ１４，Ｐ１５，Ｐ１６のうち点Ｐ０からの距離ｄが最も短くなる点Ｐ１３を損傷ベクトルＣ７−１の始点とし、以下、点Ｐ１４を損傷ベクトルＣ７−１の終点（かつ損傷ベクトルＣ７−２，Ｃ７−３の始点）、点Ｐ１５，Ｐ１６をそれぞれ損傷ベクトルＣ７−２，Ｃ７−３の終点とすることができる。
【００４２】
しかしながら、同様の手法でベクトルグループＣ８の始点を決定すると、点Ｐ１７が損傷ベクトルＣ８−１の始点、点Ｐ１８が損傷ベクトルＣ８−２，Ｃ８−３の始点となり、損傷ベクトルＣ８−３の走行方向（点Ｐ１８から点Ｐ２０へ向かう方向）が損傷ベクトルＣ８−１の走行方向と逆行してしまう。そこでこのような場合は、図６に示すように点Ｐ１９を損傷ベクトルＣ８Ａ−１の始点とし、以下、点Ｐ１８を損傷ベクトルＣ８Ａ−１の終点（かつ損傷ベクトルＣ８Ａ−２，Ｃ８Ａ−３の始点）、点Ｐ１７，Ｐ２０をそれぞれ損傷ベクトルＣ８Ａ−２，Ｃ８Ａ−３の終点とするようにしてもよい。なおこの場合の損傷ベクトルの集合体をベクトルグループＣ８Ａと表記する。このような処理は損傷ベクトル生成部１１０がユーザの指示入力を介さずに行うようにしてもよいし、操作部１２０を介したユーザの指示入力に基づいて損傷ベクトル生成部１１０が行うようにしてもよい。
【００４３】
＜分離した損傷ベクトルの連結＞
上述のようにして損傷ベクトルを生成する場合、損傷が床版２の内部では連続しているが表面では分離していると、分離した損傷ベクトルとして認識されてしまう可能性がある。そこで本実施形態に係る損傷情報処理装置１００では、そのような複数の損傷ベクトルを連結して１または複数のベクトルを生成する。
【００４４】
図７は損傷ベクトルの連結の例を示す図であり、損傷ベクトルＣ３−１（点Ｐ２１、点Ｐ２２がそれぞれ始点、終点）を含むベクトルグループＣ３と、損傷ベクトルＣ４−１（点Ｐ２３、点Ｐ２４がそれぞれ始点、終点）を含むベクトルグループＣ４とが抽出された状況を示している。また、損傷ベクトルＣ３−１が点Ｐ２２及び点Ｐ２３を結ぶ線分となす角をα１とし、点Ｐ２２及び点Ｐ２３を結ぶ線分が損傷ベクトルＣ４−１となす角をα２とする。このとき、角α１及び角α２が共に閾値以下ならば、損傷ベクトルＣ３−１及びＣ４−１を連結し、またベクトルグループＣ３及びＣ４を融合させる。具体的には、図８に示すように新たな損傷ベクトルＣ５−２を生成してその他の損傷ベクトルＣ５−１（損傷ベクトルＣ３−１と同一）及びＣ５−３（損傷ベクトルＣ４−１と同一）と連結させ、これら損傷ベクトルＣ５−１，Ｃ５−２，及びＣ５−３を含む新たなベクトルグループをベクトルグループＣ５とする。
【００４５】
なお上述の手法は損傷ベクトル連結手法の一例であり、他の方法を用いてもよい。また、上述のように損傷ベクトル同士を連結させるか否かは、ユーザの指示入力によらずに損傷ベクトル生成部１１０が判断するようにしてもよいし、操作部１２０を介したユーザの指示入力に基づいて損傷ベクトル生成部１１０が判断するようにしてもよい。
【００４６】
このように本実施形態に係る損傷情報処理装置１００では、空間的に（床版２の表面で）分離した損傷ベクトルを適宜連結させることにより、損傷ベクトル同士の連結関係を正確に把握することができる。
【００４７】
＜階層構造情報の生成＞
ステップＳ１２０で損傷ベクトルが生成されると、生成した損傷ベクトルに基づいて、階層構造情報生成部１１２が階層構造情報を生成する（ステップＳ１３０；階層構造情報生成工程）。階層構造情報は損傷ベクトル同士の連結関係を階層的に表現した情報であり、画像情報（図９を参照）及び損傷ベクトル情報（図１０，１３，１７，及び１９を参照）により構成される。これら画像情報及び損傷ベクトル情報は、損傷ベクトル（ひび割れベクトル）の集合体であるベクトルグループを介して関連づけられている。したがって損傷の画像からベクトルグループのＩＤ（Identification）を参照して損傷ベクトルを抽出することもできるし、逆に損傷ベクトルに基づいて画像を抽出することもできる。なお、階層構造情報は損傷ベクトルが所属する階層（レベル）によらず同一の項目及び形式で生成されるので（図１０，１３，１７，及び１９を参照）、ユーザは階層構造情報を容易に認識及び把握することができる。
【００４８】
＜画像情報＞
上述した画像情報とは、損傷が撮像された撮影画像についての情報であり、損傷ベクトルのグループについて、撮影画像の識別情報（ＩＤ）及び画像データ、画像取得日時等を規定したものである。図９は画像情報の例を示す表であり、ベクトルグループＣ１（図１１参照）について、画像のＩＤ、画像データ、取得日時、画像の幅及び高さ、チャンネル数、ビット／ピクセル、解像度が規定されている。チャンネル数はＲＧＢ（Ｒ：赤、Ｇ：緑、Ｂ：青）カラー画像なら３チャンネルであり、モノクロ画像なら１チャンネルである。なお図９ではベクトルグループＣ１についてのみ記載しているが、ベクトルグループが複数存在する場合は、各グループについて同様の情報が生成される。
【００４９】
＜損傷ベクトル情報＞
図１０は、損傷ベクトル情報の例である。損傷ベクトル情報は、損傷ベクトルが所属するベクトルグループの情報と、各損傷ベクトルの固有情報と、ベクトルグループ内において各損傷ベクトルに連結する他の損傷ベクトルの情報と、付加情報と、から構成される。
【００５０】
ベクトルグループ（図１０の表の場合ベクトルグループＣ１；図１１参照）の情報はグループのＩＤを含む。損傷ベクトルの固有情報は、損傷ベクトルのＩＤ（識別情報）、階層（レベル；所属階層情報）、始点及び終点（点番号及び位置座標）、及び長さを含む。ここで階層（レベル）は、レベル１が最上位であり、数字が大きくなるほど下位の階層になる。具体的な階層の決定方法については詳細を後述する。他の損傷ベクトルの情報は、以下に説明するように親ベクトル、兄弟ベクトル、及び子ベクトルのＩＤ（識別情報）を含む。付加情報は、損傷の幅、削除操作フラグ、追加操作フラグ、点検日、及び補修情報を含む。
【００５１】
＜親ベクトル、兄弟ベクトル、及び子ベクトル＞
本実施形態において、一の損傷ベクトルの終点が他の損傷ベクトルの始点となっている場合、そのような一の損傷ベクトルを「親ベクトル」といい、他の損傷ベクトルを「子ベクトル」という。親ベクトルは１つの損傷ベクトルについてゼロまたは１つとなるように決めるものとするが、子ベクトルは１つの親ベクトルに対しゼロ以上の任意の数だけ存在していてよい。また、親ベクトルの終点が複数の子ベクトルの始点となっている場合、それら複数の子ベクトルは互いに「兄弟ベクトル」という。兄弟ベクトルも、ゼロ以上の任意の数だけ存在していてよい。
【００５２】
このように、本実施形態では階層構造情報に親ベクトル、兄弟ベクトル、及び子ベクトルのＩＤ（識別情報）が含まれるので、任意の損傷ベクトルに基づいて、ベクトルのＩＤを参照して親ベクトル、兄弟ベクトル、及び子ベクトルを順次特定することができる。例えば、ある損傷ベクトルの親ベクトルを特定し、その親ベクトルの親ベクトルをさらに特定することができる。このようにして本実施形態に係る損傷情報処理装置１００では、損傷ベクトル同士の連結関係を容易に把握でき、また損傷ベクトルの分析及び検索を容易に行うことができる。
【００５３】
＜付加情報＞
付加情報に含まれる「幅」は、各損傷ベクトルに対応するひび割れの幅を示す。削除操作フラグは削除操作が行われたベクトルであるかどうかを示し、削除操作が行われた場合は“１”、行われていない場合は“０”である。この削除操作フラグを参照して、損傷ベクトルの表示と非表示とを切り替えることができる。追加操作フラグは、損傷ベクトルの検出態様に関連しており、自動で検出されたベクトルである場合は“０”、手動で（ユーザの指示入力により）追加されたベクトルである場合は“１”、手動で追加され異なるＩＤのベクトルを接続して生成されたベクトルである場合は“２”である。
【００５４】
「点検日」には損傷の画像を撮像した日を設定するが、操作部１２０を介したユーザの指示入力により編集することもできる。また「補修」の情報は、操作部１２０を介したユーザの指示入力（補修の種類及び補修日）に基づいて生成することができる。補修の種類は例えば、セメントで埋める、樹脂で埋める、放置（経過観察）など（図１０の表ではそれぞれＲ１，Ｒ２，Ｒ３と記載している）がある。
【００５５】
＜損傷ベクトルの階層＞
次に、損傷ベクトルが所属する階層（レベル）について説明する。損傷ベクトルの階層は、例えば以下の例１〜４で説明するように、種々の手法で決定することができる。
【００５６】
＜階層決定手法（例１）＞
図１１は、ベクトルグループＣ１を示す図である。ベクトルグループＣ１は、損傷ベクトルＣ１−１〜Ｃ１−６により構成されており、これら損傷ベクトルは点Ｐ１〜Ｐ７を始点または終点としている。このような状況において例１では、損傷ベクトルが分岐する（ある損傷ベクトルの終点が他の複数の損傷ベクトルの始点となっている）ごとに階層が下位になるとしている。具体的には損傷ベクトルＣ１−１の階層を最も上位の“レベル１”として、損傷ベクトルＣ１−１の終点である点Ｐ２を始点とする損傷ベクトルＣ１−２及びＣ１−３の階層は、損傷ベクトルＣ１−１よりも下位である“レベル２”とする。同様に、損傷ベクトルＣ１−３の終点である点Ｐ４を始点とする損傷ベクトルＣ１−５及びＣ１−６の階層は、損傷ベクトルＣ１−３よりも下位である“レベル３”とする。一方、損傷ベクトルＣ１−２の終点である点Ｐ３は損傷ベクトルＣ１−４の始点であるが、点Ｐ３を始点とする損傷ベクトルは損傷ベクトルＣ１−４だけであり分岐はないので、損傷ベクトルＣ１−４の階層はＣ１−２と同じ“レベル２”とする。このようにして決定した各損傷ベクトルの階層は、図１０の表に示すように階層構造情報に含まれる。
【００５７】
＜階層決定手法（例２）＞
図１２は、ベクトルグループＣ１（損傷ベクトル同士の連結関係は図１１に示すものと同一）を示す図である。例２では、連結する損傷ベクトルのうち他の損傷ベクトルとなす角度が閾値以下であるもの（木構造における「幹」に相当する損傷ベクトル）は同一の階層に属するものとしている。具体的には図１２の点線内（参照符号Ｌｖ１で示す範囲）に存在する損傷ベクトルＣ１−１，Ｃ１−２，及びＣ１−４は同一の階層である“レベル１”（最上位）とする。また、それ以外の損傷ベクトルＣ１−３，Ｃ１−５，及びＣ１−６については、例１と同様に損傷ベクトルが分岐するごとに階層が下位になるとしており、損傷ベクトルＣ１−３（木構造における「枝」に相当）を“レベル２”、損傷ベクトルＣ１−５及びＣ１−６（木構造における「葉」に相当）を“レベル３”としている。このようにして決定した各損傷ベクトルの階層及び種別（幹、枝、あるいは葉）は、図１３の表に示すように、階層構造情報に含まれる。
【００５８】
＜階層決定手法（例２の変形例）＞
上述した階層決定手法（例２）の変形例について説明する。階層決定手法（例２）のように損傷ベクトルを木構造における幹、枝、及び葉に相当するものとして階層を決定するに際して、一般に「枝」は「幹」よりも短いと考えられるため、最長の損傷ベクトルを「幹」（レベル１）とし、その他の損傷ベクトルを「枝」または「葉」として階層を決定するようにしてもよい。この場合、例えば図１３の表に示す損傷ベクトル情報では、長さ100mmの損傷ベクトルＣ１−１が「幹」（レベル１）となる。損傷ベクトルＣ１−２及びＣ１−３は「枝」（レベル２）とし、損傷ベクトルＣ１−４は「枝」（レベル２）または「葉」（レベル３）、損傷ベクトルＣ１−５，及び６は「葉」（レベル３）とすることができる。
【００５９】
なお、「最長の損傷ベクトル」ではなく「最長のひび割れ」を構成する損傷ベクトルを「幹」（レベル１）とし、「幹」から分岐しているひび割れに対応する損傷ベクトルを「枝」または「葉」としてもよい。この場合、「最長のひび割れ」とは「太いひび割れも細いひび割れも全て繋がった状態において、ひび割れとして最長である」ことを意味するものとする。
【００６０】
また、損傷ベクトルの長さに加え幅（損傷ベクトルに対応する損傷の幅）をも考慮して種別（幹、枝、及び葉）及び階層を決定するようにしてもよい。例えば、「長さ×幅」が最大になる損傷ベクトルを「幹」とし、その他の損傷ベクトルを「枝」または「葉」として階層を決定するようにしてもよい。この場合、例えば図１３の表に示す損傷ベクトル情報では、「長さ×幅」が最大（100mm２）である傷ベクトルＣ１−１が「幹」となる。損傷ベクトルＣ１−２及びＣ１−３は「枝」（レベル２）とし、損傷ベクトルＣ１−４は「枝」（レベル２）または「葉」（レベル３）、損傷ベクトルＣ１−５，及び６は「葉」（レベル３）とすることができる。
【００６１】
上述した変形例のように損傷ベクトルの長さ、または「長さ×幅」を考慮して損傷ベクトルの階層を決定することで、階層化の精度を向上させることができる。
【００６２】
＜階層決定手法（例３）＞
図１４〜１６は、ベクトルグループＣ１（損傷ベクトル同士の連結関係は図１１，１２に示すものと同一）を示す図である。例３では、損傷ベクトルが生じた時間の先後を橋梁１の画像の撮影日時に基づいて判断し、損傷ベクトルが時間的に後に生じたものであるほど下位の階層に属するものとしている。図１４〜１６の場合、最初に撮影した画像では損傷ベクトルＣ１−１を含むベクトルグループＣ１Ａが生じており（図１４）、次に撮影した画像では損傷ベクトルＣ１−２及びＣ１−３が新たに発生してベクトルグループＣ１Ｂとなり（図１５）、最後に撮影した画像ではさらに損傷ベクトルＣ１−４，Ｃ１−５，及びＣ１−６が発生してベクトルグループＣ１となった（図１６）ものとする。
【００６３】
このような状況において例３では、最初の画像で生じている損傷ベクトルＣ１−１（図１４において参照符号Ｌｖ１で示す範囲）を最も上位の“レベル１”とし、次の画像で生じている損傷ベクトルＣ１−２及びＣ１−３（図１５において参照符号Ｌｖ２で示す範囲）を“レベル２”とし、最後の画像で生じている損傷ベクトルＣ１−４，Ｃ１−５，及びＣ１−６（図１６において参照符号Ｌｖ３で示す範囲）を“レベル３”とする。
【００６４】
このようにして決定した各損傷ベクトルの階層は、図１７の表に示すように階層構造情報に含まれる。
【００６５】
＜階層決定手法（例４）＞
図１８は、ひび割れＣ２Ａ及びこれに対応するベクトルグループＣ２を示す図である。例４では、一の損傷ベクトルに連結している他の損傷ベクトルが１つのみである場合、そのような他の１つの損傷ベクトルは一の損傷ベクトルと同じ階層に属するものとしている。具体的には、図１８に示すように一本の曲線状のひび割れＣ２Ａが複数のひび割れＣ２Ａ−１〜Ｃ２Ａ−４に分割されており、これらひび割れが点Ｐ８〜点Ｐ１２を始点または終点とする損傷ベクトルＣ２−１〜Ｃ２−４にそれぞれ対応している場合を考えると、損傷ベクトルＣ２−１〜Ｃ２−３の終点にはそれぞれ１つの損傷ベクトル（損傷ベクトルＣ２−２〜Ｃ２−４）しか連結していない。このような場合、例４では損傷ベクトルＣ２−１〜Ｃ２−４（図１８において参照符号Ｌｖ１で示す範囲）は実質的に１つであると考え、全て同一の階層である“レベル１”（最上位）に属するものとする。
【００６６】
このようにして決定した各損傷ベクトルの階層は、図１９の表に示すように階層構造情報に含まれる。
【００６７】
以上、損傷ベクトルの所属階層決定手法の例１〜４について説明したが、これらの手法は具体的な損傷の態様に応じて適宜使い分けることができ、また必要に応じて複数の手法を組み合わせて用いてもよい。例えば連結のパターンが複雑な損傷ベクトルのグループに対し、ある部分は例１を用いて階層を決定し、他の部分は例４を用いて階層を決定するようにしてもよい。このような階層手法の組合せは階層構造情報生成部１１２が判断して行うようにしてもよいし、操作部１２０を介したユーザの指示入力に基づいて行うこともできる。
【００６８】
＜階層構造情報の項目及び形式＞
本実施形態では、図１０，１３，１７，及び１９の表に示すように階層構造情報が損傷ベクトルの属する階層によらず同一の項目及び形式なので、損傷ベクトル同士の連結関係を迅速かつ容易に把握することができる。
【００６９】
＜損傷ベクトルの抽出＞
次に、損傷ベクトルの抽出について説明する。本実施形態において、階層構造情報には損傷ベクトルが所属するベクトルグループ、損傷ベクトルのＩＤ（識別番号）、所属階層、連結する他の損傷ベクトル（親ベクトル、兄弟ベクトル、及び子ベクトル）のＩＤ等が含まれているので（図１０，１３，１７，及び１９参照）、これらの項目について所望の条件を指定して損傷ベクトルを抽出することができる。指定する条件としては、例えば「損傷ベクトルが所属する階層」及び「特定のベクトルを親ベクトル、兄弟ベクトル、あるいは子ベクトルとするベクトル」を挙げることができるが、指定しうる条件はこれらの例に限定されるものではない。
【００７０】
例えば図１０に示す損傷ベクトル情報の場合、「損傷ベクトルの階層（レベル）がレベル２」を条件として指定すると、階層構造情報の「階層（レベル）」の欄を参照して損傷ベクトルＣ１−２，Ｃ１−３，及びＣ１−４が抽出され、「損傷ベクトルＣ１−２と連結し、損傷ベクトルＣ１−２よりも上位の階層に属する損傷ベクトル」を条件として指定すると、損傷ベクトルＣ１−１（親ベクトル）が抽出される。また、「損傷ベクトルＣ１−２と連結し、損傷ベクトルＣ１−２と同じ階層に属する損傷ベクトル」を条件として指定すると、損傷ベクトルＣ１−３（兄弟ベクトル）及び損傷ベクトルＣ１−４（子ベクトル）が抽出され、「損傷ベクトルＣ１−３と連結し、損傷ベクトルＣ１−３よりも下位の階層に属する損傷ベクトル」を条件として指定すると、損傷ベクトルＣ１−５及びＣ１−６（子ベクトル）が抽出される。このような損傷ベクトルの抽出は、操作部１２０を介したユーザの指示入力に基づいて、損傷ベクトル抽出部１１４が階層構造情報記録部１１６を参照して行うことができる。
【００７１】
このように、本実施形態に係る損傷情報処理装置１００では損傷ベクトルの検索、分析、及び評価を容易に行うことができる。なお抽出した損傷ベクトルは、個々の情報及び／または線画の形式で表示することができる（後述）。
【００７２】
＜損傷ベクトル及び階層構造情報の表示＞
ステップＳ１４０では、ステップＳ１３０で生成された階層構造情報を表示部１１８に表示する（表示工程）。階層構造情報の表示は、例えば図９，１０，１３，１７，及び１９に示す表の形式で行ったり、それらの表から抽出した一部の情報により行ったりすることができる。そのような「一部の情報」の一例としては、「指定した条件で抽出した損傷ベクトルの情報」及び「点検日及び／または補修日等、特定の項目についての情報」を挙げることができる。
【００７３】
また、階層構造情報に基づいて損傷ベクトルを示す線画を描画し、表示部１１８に表示するようにしてもよい。図１０，１３，１７，１９の表に示すように、階層構造情報には損傷ベクトルの始点及び終点、並びに連結する他の損傷ベクトルの情報が含まれているので、これらの情報に基づいて損傷ベクトルを示す線画（例えば図１１，１２，１４〜１６を参照）を描画し、表示することができる。損傷ベクトルを示す線画には、損傷ベクトルの向き（始点から終点へ向かう方向）が識別できるように矢印を付してもよい（図１１，１２，１４〜１６を参照）。損傷ベクトルの線画を描画及び表示する場合、階層構造情報に含まれる全ての損傷ベクトルを描画及び表示してもよいし、一部の損傷ベクトル（例えば、上述のように指定された条件で抽出したもの）のみを表示するようにしてもよい。
【００７４】
なお、損傷ベクトルを示す線画を表示する場合、階層構造情報に含まれる情報のうち特定の情報に応じて損傷ベクトルの色、太さ、及び線種（実線、点線等）等の表示条件を変えるようにしてもよい。そのような情報としては、例えば損傷ベクトルの階層（レベル）、種別（幹、枝、葉）、発生日時、削除操作フラグ、及び追加操作フラグの値等を挙げることができ、階層構造情報に含まれる項目のうちから適宜設定してよい。このように損傷ベクトルの特徴に応じた態様で表示することにより、損傷ベクトル同士の連結関係及び／または時間変化の様子を容易に把握することができる。
【００７５】
上述した損傷ベクトルの線画と階層構造情報とは、いずれか一方を表示するようにしてもよいし、両方を同時に表示するようにしてもよい。また、上述の表示において損傷（ひび割れ）を撮像した画像（例えば図９の表に示す画像“img_2015-001”）を損傷ベクトルの線画と重ね合わせて、あるいは並べて表示し、両者が比較できるようにしてもよい（例えば図１８を参照）。
【００７６】
本実施形態では、このようにして損傷ベクトル及び／または階層構造情報を表示するので、損傷ベクトルの情報及び損傷ベクトル同士の連結関係を容易に把握することができる。
【００７７】
＜損傷ベクトル及び階層構造情報の記録＞
ステップＳ１５０では、階層構造情報を階層構造情報記録部１１６に記録する（記録工程）。階層構造情報記録部１１６に記録された階層構造情報は、損傷の分析及び評価などの目的に使用することができる。なお階層構造情報から一部の情報（例えば指定した条件を満たす損傷ベクトル）を抽出した場合、そのようにして抽出した情報は全て元の階層構造情報に含まれるため、抽出結果は必ずしも記録しておかなくてもよいが、抽出結果についても階層構造情報記録部１１６に記録しておくことで、必要に応じ迅速に参照することができる。
【００７８】
＜階層構造情報の修正＞
上述のように、本実施形態では階層構造情報生成部１１２が階層構造情報を生成するが、操作部１２０を介したユーザの指示入力に基づいて、階層構造情報生成部１１２が階層構造情報を修正することができるようにしてもよい。
【００７９】
以上説明したように、本実施形態に係る損傷情報処理装置１００及び損傷情報処理方法によれば、損傷ベクトル同士の連結関係を容易に把握でき、また階層構造情報により損傷ベクトルの分析及び／または検索を容易に行うことができる。
【００８０】
以上で本発明の例に関して説明してきたが、本発明は上述した実施形態及び変形例に限定されず、本発明の精神を逸脱しない範囲で種々の変形が可能である。
【符号の説明】
【００８１】
１  橋梁
２  床版
３  主桁
３Ａ  接合部
１００  損傷情報処理装置
１０２  損傷情報取得部
１０４  デジタルカメラ
１０６  画像取得部
１０８  画像処理部
１１０  損傷ベクトル生成部
１１２  階層構造情報生成部
１１４  損傷ベクトル抽出部
１１６  階層構造情報記録部
１１８  表示部
１２０  操作部
【図１】
2017110279.tif 000003
【図２】
2017110279.tif 000004
【図３】
2017110279.tif 000005
【図４】
2017110279.tif 000006
【図５】
2017110279.tif 000007
【図６】
2017110279.tif 000008
【図７】
2017110279.tif 000009
【図８】
2017110279.tif 000010
【図９】
2017110279.tif 000011
【図１０】
2017110279.tif 000012
【図１１】
2017110279.tif 000013
【図１２】
2017110279.tif 000014
【図１３】
2017110279.tif 000015
【図１４】
2017110279.tif 000016
【図１５】
2017110279.tif 000017
【図１６】
2017110279.tif 000018
【図１７】
2017110279.tif 000019
【図１８】
2017110279.tif 000020
【図１９】
2017110279.tif 000021
【国際調査報告】
2017110279.tif 000022
2017110279.tif 000023
2017110279.tif 000024
2017110279.tif 000025